(57)【要約】【課題】  コンテンツ送信装置およびコンテンツ受信装置のユーザ操作による設定操作を簡易化すること。【解決手段】  ユーザ操作に応じてコンテンツ受信装置の設定項目を示す領域が操作された場合、操作された設定項目に関連のあるコンテンツ送信装置の設定項目が、コンテンツ送信装置の設定項目を示す領域に自動的に表示される。従って、ユーザは、関連のあるコンテンツ送信装置の設定項目を見ながら、コンテンツ受信装置の設定項目を選択することができる。ユーザ操作に応じてコンテンツ送信装置の設定項目を示す領域が操作された場合、操作された設定項目に関連のあるコンテンツ受信装置の設定項目が、コンテンツ受信装置の設定項目を示す領域に自動的に表示される。従って、ユーザは、関連のあるコンテンツ受信装置の設定項目を見ながら、コンテンツ送信装置の設定項目を選択することができる。【選択図】図５
2012195628.tif 000002
【特許請求の範囲】
【請求項１】
コンテンツを送信するコンテンツ送信装置と、コンテンツを受信するコンテンツ受信装置とを備え、
前記コンテンツ送信装置が、
前記コンテンツ送信装置の設定項目を含むコンテンツ送信装置設定画面を生成する第１設定画面生成手段と、
前記コンテンツ送信装置設定画面を前記コンテンツ受信装置に送信する設定画面送信手段と、
前記コンテンツ受信装置から設定指示を受信する設定指示受信手段と、
受信した設定指示に応じて前記コンテンツ送信装置の設定処理を実行する第１設定手段とを有し、
前記コンテンツ受信装置が、
前記コンテンツ送信装置設定画面を受信する設定画面受信手段と、
前記コンテンツ送信装置設定画面を使用し、前記コンテンツ送信装置の設定項目を示す領域と、前記コンテンツ受信装置の設定項目を示す領域とを含む設定画面を生成する第２設定画面生成手段と、
前記設定画面を表示装置に表示させる表示手段と、
ユーザ操作に応じて前記コンテンツ送信装置の設定項目を示す領域が操作された場合、操作された設定項目に対応した設定指示を前記コンテンツ送信装置に送信する指示手段と、
ユーザ操作に応じて前記コンテンツ受信装置の設定項目を示す領域が操作された場合、操作された設定項目に応じて前記コンテンツ受信装置の設定処理を実行する第２設定手段と、
ユーザ操作に応じて前記コンテンツ受信装置の設定項目を示す領域が操作された場合、操作された設定項目に関連のある前記コンテンツ送信装置の設定項目の有無を判断する関連性判断手段とを備え、
操作された設定項目に関連のある前記コンテンツ送信装置の設定項目が有ると判断された場合、前記指示手段が、操作された設定項目に関連のある前記コンテンツ送信装置の設定項目を前記コンテンツ送信装置設定画面に含める関連表示指示を前記コンテンツ送信装置に送信し、
前記第１設定手段および前記第１設定画面生成手段が、前記関連表示指示に応じて、操作された設定項目に関連のある前記コンテンツ送信装置の設定項目を前記コンテンツ送信装置設定画面に含める処理を実行する、コンテンツ送受信システム。
【請求項２】
前記関連性判断手段が、ユーザ操作に応じて前記コンテンツ送信装置の設定項目を示す領域が操作された場合、操作された設定項目に関連のある前記コンテンツ受信装置の設定項目の有無をさらに判断し、
操作された設定項目に関連のある前記コンテンツ受信装置の設定項目が有ると判断された場合、前記第２設定手段および前記第２設定画面生成手段が、操作された設定項目に関連のある前記コンテンツ受信装置の設定項目を前記設定画面に含める処理を実行する、請求項１に記載のコンテンツ送受信システム。
【請求項３】
コンテンツを送信するコンテンツ送信装置と、コンテンツを受信するコンテンツ受信装置とを備え、
前記コンテンツ送信装置が、
前記コンテンツ送信装置の設定項目を含むコンテンツ送信装置設定画面を生成する第１設定画面生成手段と、
前記コンテンツ送信装置設定画面を前記コンテンツ受信装置に送信する設定画面送信手段と、
前記コンテンツ受信装置から設定指示を受信する設定指示受信手段と、
前記コンテンツ受信装置から受信した設定指示に応じて前記コンテンツ送信装置の設定処理を実行する第１設定手段とを有し、
前記コンテンツ受信装置が、
前記コンテンツ送信装置設定画面を受信する設定画面受信手段と、
前記コンテンツ送信装置設定画面に基づいて、前記コンテンツ送信装置の設定項目を示す領域と、前記コンテンツ受信装置の設定項目を示す領域とを含む設定画面を生成する第２設定画面生成手段と、
前記設定画面を表示装置に表示させる表示手段と、
ユーザ操作に応じて前記コンテンツ送信装置の設定項目を示す領域が操作された場合、操作された設定項目に対応した設定指示を前記コンテンツ送信装置に送信する指示手段と、
ユーザ操作に応じて前記コンテンツ受信装置の設定項目を示す領域が操作された場合、操作された設定項目に応じて前記コンテンツ受信装置の設定処理を実行する第２設定手段と、
ユーザ操作に応じて前記コンテンツ送信装置の設定項目を示す領域が操作された場合、操作された設定項目に関連のある前記コンテンツ受信装置の設定項目の有無を判断する関連性判断手段とを備え、
操作された設定項目に関連のある前記コンテンツ受信装置の設定項目が有ると判断された場合、前記第２設定手段および前記第２設定画面生成手段が、操作された設定項目に関連のある前記コンテンツ受信装置の設定項目を前記設定画面に含める処理を実行する、コンテンツ送受信システム。
【請求項４】
請求項１〜３のいずれかに記載のコンテンツ送受信システムにおける前記コンテンツ送信装置。
【請求項５】
請求項１〜３のいずれかに記載のコンテンツ送受信システムにおける前記コンテンツ送信装置の各手段をコンピュータに実行させる、コンテンツ送信装置の動作プログラム。
【請求項６】
請求項１〜３のいずれかに記載のコンテンツ送受信システムにおける前記コンテンツ受信装置。
【請求項７】
請求項１〜３のいずれかに記載のコンテンツ送受信システムにおける前記コンテンツ受信装置の各手段をコンピュータに実行させる、コンテンツ受信装置の動作プログラム。
【発明の詳細な説明】
【技術分野】
【０００１】
本発明は、コンテンツ送信装置とコンテンツ受信装置とを備えるコンテンツ送受信システムに関する。
【背景技術】
【０００２】
ソース機器（例えば、ＢＤ（ブルーレイディクス）プレーヤ）と、リピータ機器（例えば、ＡＶアンプ）と、シンク機器（例えば、ディスプレイ装置）とを備えるコンテンツ送受信システムが利用されている。ＢＤプレーヤは、ブルーレイディスクに記録されているコンテンツを再生し、ＡＶアンプに送信する。ＡＶアンプは、コンテンツに含まれる音声データに音声処理を実行し、スピーカーから音声を出力する。ＡＶアンプは、映像データをディスプレイ装置に送信する。ディスプレイ装置は、ＡＶアンプから供給された映像データに映像処理を実行し、表示する。
【０００３】
ＢＤプレーヤは、ユーザ操作に基づいて、映像設定、音声設定および言語設定などのＢＤプレーヤの各種設定を実行する。同様に、ＡＶアンプは、ユーザ操作に基づいて、入力／出力設定、スピーカー設定、音声モード調整、リスニングモード設定および解像度設定などのＡＶアンプの各種設定を実行する。ＢＤプレーヤの設定を実行する場合、ＢＤプレーヤが設定画面（ＯＳＤ画面）を生成し、生成された設定画面がＡＶアンプを介してディスプレイ装置に供給され、ディスプレイ装置に表示される。ＡＶアンプの設定を実行する場合、ＡＶアンプが設定画面（ＯＳＤ画面）を生成し、生成された設定画面がディスプレイ装置に供給され、ディスプレイ装置に表示される。ＢＤプレーヤの設定画面と、ＡＶアンプの設定画面とは、個別に独立して生成及び表示されるので、ユーザ操作によってＢＤプレーヤおよびＡＶアンプの両方を個別に操作する必要があり、その操作が煩雑である。
【０００４】
下記特許文献１には、コントローラ機器が、ターゲット機器によって生成されたＯＳＤ画面にコントローラ機器のＯＳＤ画面を合成して、表示部に表示する技術が記載されている。この文献によると、ターゲット機器のＯＳＤ画面の表示内容と、コントローラ機器のＯＳＤ画面の表示内容とは完全に独立しており、ユーザは、コントローラ機器およびターゲット機器のＯＳＤ画面をそれぞれ個別に操作する必要がある。
【先行技術文献】
【特許文献】
【０００５】
【特許文献１】特開２００２−１０８３２６号公報
【特許文献２】特開２００５−１９１７８０号公報
【発明の概要】
【発明が解決しようとする課題】
【０００６】
本発明の目的は、コンテンツ送信装置およびコンテンツ受信装置のユーザ操作による設定操作を簡易化することができるコンテンツ送受信システムを提供することである。
【課題を解決するための手段】
【０００７】
本発明の好ましい実施形態によるコンテンツ送受信システムは、コンテンツを送信するコンテンツ送信装置と、コンテンツを受信するコンテンツ受信装置とを備え、前記コンテンツ送信装置が、前記コンテンツ送信装置の設定項目を含むコンテンツ送信装置設定画面を生成する第１設定画面生成手段と、前記コンテンツ送信装置設定画面を前記コンテンツ受信装置に送信する設定画面送信手段と、前記コンテンツ受信装置から設定指示を受信する設定指示受信手段と、受信した設定指示に応じて前記コンテンツ送信装置の設定処理を実行する第１設定手段とを有し、前記コンテンツ受信装置が、前記コンテンツ送信装置設定画面を受信する設定画面受信手段と、前記コンテンツ送信装置設定画面を使用し、前記コンテンツ送信装置の設定項目を示す領域と、前記コンテンツ受信装置の設定項目を示す領域とを含む設定画面を生成する第２設定画面生成手段と、前記設定画面を表示装置に表示させる表示手段と、ユーザ操作に応じて前記コンテンツ送信装置の設定項目を示す領域が操作された場合、操作された設定項目に対応した設定指示を前記コンテンツ送信装置に送信する指示手段と、ユーザ操作に応じて前記コンテンツ受信装置の設定項目を示す領域が操作された場合、操作された設定項目に応じて前記コンテンツ受信装置の設定処理を実行する第２設定手段と、ユーザ操作に応じて前記コンテンツ受信装置の設定項目を示す領域が操作された場合、操作された設定項目に関連のある前記コンテンツ送信装置の設定項目の有無を判断する関連性判断手段とを備え、操作された設定項目に関連のある前記コンテンツ送信装置の設定項目が有ると判断された場合、前記指示手段が、操作された設定項目に関連のある前記コンテンツ送信装置の設定項目を前記コンテンツ送信装置設定画面に含める関連表示指示を前記コンテンツ送信装置に送信し、前記第１設定手段および前記第１設定画面生成手段が、前記関連表示指示に応じて、操作された設定項目に関連のある前記コンテンツ送信装置の設定項目を前記コンテンツ送信装置設定画面に含める処理を実行する。
【０００８】
本実施形態によると、ユーザ操作に応じてコンテンツ受信装置の設定項目を示す領域が操作された場合、操作された設定項目に関連のあるコンテンツ送信装置の設定項目が、コンテンツ送信装置の設定項目を示す領域に自動的に表示される。従って、ユーザは、関連のあるコンテンツ送信装置の設定項目を見ながら、コンテンツ受信装置の設定項目を選択することができる。
【０００９】
好ましい実施形態においては、前記関連性判断手段が、ユーザ操作に応じて前記コンテンツ送信装置の設定項目を示す領域が操作された場合、操作された設定項目に関連のある前記コンテンツ受信装置の設定項目の有無をさらに判断し、操作された設定項目に関連のある前記コンテンツ受信装置の設定項目が有ると判断された場合、前記第２設定手段および前記第２設定画面生成手段が、操作された設定項目に関連のある前記コンテンツ受信装置の設定項目を前記設定画面に含める処理を実行する、請求項１に記載のコンテンツ送受信システム。
【００１０】
本実施形態によると、さらに、ユーザ操作に応じてコンテンツ送信装置の設定項目を示す領域が操作された場合、操作された設定項目に関連のあるコンテンツ受信装置の設定項目が、コンテンツ受信装置の設定項目を示す領域に自動的に表示される。従って、ユーザは、関連のあるコンテンツ受信装置の設定項目を見ながら、コンテンツ送信装置の設定項目を選択することができる。
【００１１】
本発明の別の好ましい実施形態によるコンテンツ送受信システムは、コンテンツを送信するコンテンツ送信装置と、コンテンツを受信するコンテンツ受信装置とを備え、前記コンテンツ送信装置が、前記コンテンツ送信装置の設定項目を含むコンテンツ送信装置設定画面を生成する第１設定画面生成手段と、前記コンテンツ送信装置設定画面を前記コンテンツ受信装置に送信する設定画面送信手段と、前記コンテンツ受信装置から設定指示を受信する設定指示受信手段と、前記コンテンツ受信装置から受信した設定指示に応じて前記コンテンツ送信装置の設定処理を実行する第１設定手段とを有し、前記コンテンツ受信装置が、前記コンテンツ送信装置設定画面を受信する設定画面受信手段と、前記コンテンツ送信装置設定画面に基づいて、前記コンテンツ送信装置の設定項目を示す領域と、前記コンテンツ受信装置の設定項目を示す領域とを含む設定画面を生成する第２設定画面生成手段と、前記設定画面を表示装置に表示させる表示手段と、ユーザ操作に応じて前記コンテンツ送信装置の設定項目を示す領域が操作された場合、操作された設定項目に対応した設定指示を前記コンテンツ送信装置に送信する指示手段と、ユーザ操作に応じて前記コンテンツ受信装置の設定項目を示す領域が操作された場合、操作された設定項目に応じて前記コンテンツ受信装置の設定処理を実行する第２設定手段と、ユーザ操作に応じて前記コンテンツ送信装置の設定項目を示す領域が操作された場合、操作された設定項目に関連のある前記コンテンツ受信装置の設定項目の有無を判断する関連性判断手段とを備え、操作された設定項目に関連のある前記コンテンツ受信装置の設定項目が有ると判断された場合、前記第２設定手段および前記第２設定画面生成手段が、操作された設定項目に関連のある前記コンテンツ受信装置の設定項目を前記設定画面に含める処理を実行する。
【００１２】
本実施形態によると、ユーザ操作に応じてコンテンツ送信装置の設定項目を示す領域が操作された場合、操作された設定項目に関連のあるコンテンツ受信装置の設定項目が、コンテンツ受信装置の設定項目を示す領域に自動的に表示される。従って、ユーザは、関連のあるコンテンツ受信装置の設定項目を見ながら、コンテンツ送信装置の設定項目を選択することができる。
【発明の効果】
【００１３】
コンテンツ送信装置およびコンテンツ受信装置のユーザ操作による設定操作を簡易化することができるコンテンツ送受信システムを提供することができる。
【図面の簡単な説明】
【００１４】
【図１】ＡＶアンプ２０およびＢＤプレーヤ１０の構成を示すブロック図である。
【図２】ＢＤプレーヤ１０の設定項目を示す一覧である。
【図３】設定画面を示す図である。
【図４】ＡＶアンプ２０とＢＤプレーヤ１０の処理を示すフローチャートである。
【図５】ＡＶアンプ２０とＢＤプレーヤ１０の処理を示すフローチャートである。
【図６】設定画面を示す図である。
【図７】設定画面を示す図である。
【発明を実施するための形態】
【００１５】
以下、本発明の好ましい実施形態について、図面を参照して具体的に説明するが、本発明はこれらの実施形態には限定されない。本実施形態において、コンテンツは、映像（画像も含む、以下同様。）データおよび／または音声データ等である。
【００１６】
図１に示すように、ＡＶアンプ（コンテンツ受信装置、リピータ機器）２０の入力側には１又は複数のコンテンツ送信装置（ソース機器、本例ではＢＤ（ブルーレイディスク）プレーヤ１０）が接続可能である。ＡＶアンプ２０の出力側には、コンテンツ受信装置（シンク機器、本例ではディスプレイ装置４０）が接続可能である。ＢＤプレーヤ１０、ＡＶアンプ２０及びディスプレイ装置４０は、例えばＨＤＭＩ規格に準拠しており、ＨＤＭＩケーブルを介して相互に接続されている。
【００１７】
[ＢＤプレーヤの構成]
ＢＤプレーヤ１０は、再生部１１と、ＨＤＭＩ送信部１２と、制御部１３と、メモリ１４と、操作部１５と、表示部１６と、ＨＤＭＩ出力端子１７と、設定画面生成部１８とを概略備える。再生部１１は、挿入されたブルーレイディスク（以下、単にディスクという。）から映像データおよび音声データを再生し、ＨＤＭＩ送信部１２に供給する。
【００１８】
設定画面生成部１８は、制御部１３からの指示に応じて、ＢＤプレーヤ１０の設定画面（ＯＳＤ画面）を生成し、ＨＤＭＩ送信部１２に供給する。
【００１９】
ＨＤＭＩ送信部１２は、再生部１１から供給された映像データおよび音声データを、ＨＤＭＩ規格のデータ（以下、ＨＤＭＩデータという。）に変換し、ＨＤＭＩ出力端子１７を介して、ＡＶアンプ２０に供給する。また、ＨＤＭＩ送信部１２は、設定画面生成部１８から供給された設定画面をＨＤＭＩデータに変換し、ＨＤＭＩ出力端子１７を介して、ＡＶアンプ２０に供給する。なお、再生部１１からの映像データと設定画面とが合成されてＨＤＭＩデータに変換されてもよい。
【００２０】
制御部１３は、メモリ（ＲＯＭ、ＲＡＭ等）１４に格納されているＢＤプレーヤ１０の動作プログラムに基づいて、ＢＤプレーヤ１０の各部を制御するものであり、マイコンやＣＰＵ等である。制御部１３は、ＡＶアンプ２０の制御部２４からＣＥＣラインを介して、設定コマンド（設定指示）を受信すると、受信した設定コマンドに応じて、ＢＤプレーヤ１０の設定処理を実行する。
【００２１】
メモリ１４には、ＢＤプレーヤ１０の設定項目に関する情報や、現在設定されている設定項目の情報が記憶されている。設定画面生成部１８は、メモリ１４に記憶されている設定項目に関する情報や、現在設定されている設定項目の情報に基づいて、ＢＤプレーヤ１０の設定画面を生成する。図２は、ＢＤプレーヤ１０の設定項目を示す一覧である。例えば、設定項目は、「１．映像設定」、「２．音声設定」、「３．言語設定」に関する各設定項目を含む。
【００２２】
［ＡＶアンプの構成］
図１に示すように、ＡＶアンプ２０は、ＨＤＭＩ受信部２１と、ＨＤＭＩ送信部２２と、設定画面生成部２３と、制御部２４と、メモリ（ＲＯＭ、ＲＡＭ等）２５と、音声処理部２６と、操作部２７と、表示部２８と、ＨＤＭＩ入力端子２９Ａ〜２９Ｃと、ＨＤＭＩ出力端子３０とを概略備える。制御部２４は、メモリ２５に格納されているＡＶアンプの動作プログラムに基づいて、ＡＶアンプ２０の各部を制御するものであり、例えば、マイコンやＣＰＵ等である。
【００２３】
ＨＤＭＩ受信部２１は、ＨＤＭＩ入力端子２９Ａ〜２９Ｃの中から、ＨＤＭＩデータを受信すべきＨＤＭＩ入力端子を１つ選択する。つまり、ＨＤＭＩ受信部２１は、複数のコンテンツ送信装置の中から、コンテンツ送信元のコンテンツ送信装置を１つ選択する。ＨＤＭＩ受信部２１は、選択されているＨＤＭＩ入力端子２９からＨＤＭＩデータを受信し、受信したＨＤＭＩデータから元の映像データを生成し、ＨＤＭＩ送信部２２に供給する。また、ＨＤＭＩ受信部２１は、受信したＨＤＭＩデータから元の音声データを生成し、音声処理部２６に供給する。また、ＨＤＭＩ受信部２１は、受信したＨＤＭＩデータから、ＢＤプレーヤ１０の設定画面を生成し、設定画面生成部２３に供給する。
【００２４】
メモリ２５には、ＡＶアンプ２０の設定項目に関する情報や、現在設定されている設定項目の情報が記憶されている。設定画面生成部２３は、制御部２４の指示に応じて、ＨＤＭＩ受信部２１（つまりＢＤプレーヤ１０）から受信したＢＤプレーヤ１０の設定画面と、ＡＶアンプ２０の設定項目に関する情報（および必要に応じて現在設定されている設定項目の情報）に基づいて生成したＡＶアンプ２０の設定画面とを合成し、設定画面（ＯＳＤ画面）を生成する。
【００２５】
図３（ａ）〜（ｃ）は、設定画面生成部２３によって生成される設定画面の一例を示す図である。設定画面は、ＡＶアンプ設定項目を示す領域５１と、ＢＤプレーヤ設定項目を示す領域５２と、ＡＶアンプ設定モードボタン５３と、ＢＤプレーヤ設定モードボタン５４とを含む。ＡＶアンプ設定項目を示す領域５１には、ＡＶアンプ２０の設定を実行するための設定項目の一覧が階層構造で表示される。ＢＤプレーヤ設定項目を示す領域５２には、ＢＤプレーヤ１０の設定を実行するための設定項目の一覧が階層構造で表示される。ＢＤプレーヤ設定項目を示す領域５２は、ＢＤプレーヤ１０から受信したＢＤプレーヤ１０の設定画面が合成されたものである。従って、ＢＤプレーヤ設定項目を示す領域５２は、ＢＤプレーヤ１０によって変更される。
【００２６】
図３（ａ）は、ＢＤプレーヤ設定項目が図２において最上位の階層を示し、図３（ｂ）は、ＢＤプレーヤ設定項目が図２において２番目の階層を示し、図３（ｃ）は、ＢＤプレーヤ設定項目が図２において最下位の階層を示す。なお、図３（ｃ）において、ＢＤプレーヤ１０において現在設定されている設定項目に予めカーソルが表示されており、選択されている状態で表示されている。例えば、「４：３レターボックス」に設定されている場合には、「４：３レターボックス」に予めカーソルが表示される。従って、ユーザは、ＢＤプレーヤ１０に現在設定されている設定項目を知ることができる。
【００２７】
ＡＶアンプ設定モードボタン５３は、ＡＶアンプ設定モードに移行するためのボタンである。ＡＶアンプ設定モードは、ＡＶアンプ設定項目を示す領域５１を操作可能な（つまり、ＡＶアンプ２０の設定を変更可能な）状態である。ＢＤプレーヤ設定モードボタン５４は、ＢＤプレーヤ設定モードに移行するためのボタンである。ＢＤプレーヤ設定モードは、ＢＤプレーヤ設定項目を示す領域５２を操作可能な（つまり、ＢＤプレーヤ１０の設定を変更可能な）状態である。なお、ＡＶアンプ設定モードボタン５３とＢＤプレーヤ設定モードボタン５４とを共通の１つのボタンとし、ボタンが押される毎に、モードが切り替わるようにしてもよい。また、ＡＶアンプ設定モードボタン５３とＢＤプレーヤ設定モードボタン５４とを設けずに、ＡＶアンプ設定項目を示す領域５１とＢＤプレーヤ設定項目を示す領域５２との一方にカーソル（図に示す領域の外枠の太線）を表示し、ユーザがリモコンの左右ボタンを操作することによってカーソルを移動させ、カーソルが表示されている方を設定モードとしてもよい。
【００２８】
図３（ａ）〜（ｃ）はＢＤプレーヤ設定モードの場合の設定画面を示し、ＢＤプレーヤ設定項目を示す領域５２のフレームが太く表示されている。なお、これに限定されずに、ＢＤプレーヤ設定モードの場合に、ＢＤプレーヤ設定項目を示す領域５２を大きく表示し、ＡＶアンプ設定項目を示す領域５１を小さく表示し、ＡＶアンプ設定モードの場合に、ＡＶアンプ設定項目を示す領域５１を大きく表示し、ＢＤプレーヤ設定項目を示す領域５２を小さく表示してもよい。
【００２９】
図１に示すように、ＨＤＭＩ送信部２２は、ＨＤＭＩ受信部２１から供給された映像データをＨＤＭＩデータに変換する。ＨＤＭＩ送信部２２は、ＨＤＭＩ出力端子３０を介してディスプレイ装置４０にＨＤＭＩデータを送信する。また、ＨＤＭＩ送信部２２は、設定画面生成部２３から供給された設定画面をＨＤＭＩデータに変換し、ＨＤＭＩ出力端子３０を介してディスプレイ装置４０に送信する。なお、映像データの所定の位置に設定画面が重畳（合成）された状態で、ＨＤＭＩデータに変換され、ディスプレイ装置４０に送信されてもよい。
【００３０】
制御部２４は、ユーザ操作によって設定画面が操作されたとき、ＡＶアンプ２０またはＢＤプレーヤ１０に設定処理を実行させる。つまり、制御部２４は、ＡＶアンプ設定モードの際に、ユーザ操作に応じてＡＶアンプ設定項目を示す領域５１が操作された場合、操作された内容に基づいてＡＶアンプ２０の設定処理を実行する。一方、制御部２４は、ＢＤプレーヤ設定モードの際に、ユーザ操作に応じてＢＤプレーヤ設定項目を示す領域５２が操作された場合、操作された内容に対応した設定コマンドをＢＤプレーヤ１０に送信し、ＢＤプレーヤ１０に設定コマンドに応じた設定処理を実行させる。
【００３１】
メモリ２５には、ＡＶアンプ２０の設定項目に関連があるＢＤプレーヤ１０の設定項目に関する情報が予め記憶されている。例えば、ＡＶアンプ２０の設定項目に解像度が存在し、ＢＤプレーヤ１０の設定項目にも解像度が含まれる場合、これらは相互に関連があることがメモリ２５内で管理されている。
【００３２】
ユーザ操作に応じてＡＶアンプ設定項目を示す領域５１が操作された場合、制御部２４は、操作された設定項目に関連のあるＢＤプレーヤ１０の設定項目の有無をメモリ２５の記憶内容に基づいて判断する。操作された設定項目に関連のあるＢＤプレーヤ１０の設定項目が有ると判断された場合、制御部２４は、ＣＥＣラインを介して、操作された設定項目に関連のあるＢＤプレーヤ１０の設定項目をＢＤプレーヤ１０の設定画面に含めるコマンドをＢＤプレーヤ１０に送信する。ＢＤプレーヤ１０の制御部１３は、当該コマンドに応じて、操作された設定項目に関連のあるＢＤプレーヤ１０の設定項目を、ＢＤプレーヤ１０の設定画面に含めるように設定画面生成部１８を制御する。
【００３３】
同様に、ユーザ操作に応じてＢＤプレーヤ設定項目を示す領域５２が操作された場合、操作された設定項目に関連のあるＡＶアンプ２０の設定項目の有無をメモリ２５の記憶内容に基づいて判断する。操作された設定項目に関連のあるＡＶアンプ２０の設定項目が有ると判断された場合、制御部２４は、操作された設定項目に関連のあるＡＶアンプ２０の設定項目を、ＡＶアンプ設定項目を示す領域５１に含めるように設定画面生成部２３を制御する。
【００３４】
音声処理部２６は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００３５】
操作部２７は、ユーザ操作を受け付けるものであり、ＡＶアンプ２０の筐体に設けられた操作ボタン、及び／又は、リモコン送受信機等である。操作部２５は、例えば、図３に示す設定画面を操作するために、カーソルキー（上下左右の各方向キー）、決定（エンター）キー、および、戻るキー等を含む。なお、以降の説明において、カーソルキー、決定キー、または、戻るキーが操作されるとは、ＡＶアンプ２０のリモコンのカーソルキー、決定キー、または、戻るキーが操作されることを意味する。
【００３６】
以下、本実施形態の動作を説明する。図４、図５は、ＡＶアンプ２０の制御部２４の処理、および、ＢＤプレーヤ１０の制御部１３の処理を示すフローチャートである。図４に示すように、ＡＶアンプ２０の制御部２４は、ユーザ操作によって設定画面を表示する指示が入力されたか否かを判断している（Ｓ１０１）。入力された場合（Ｓ１０１でＹＥＳ）、制御部２４は、設定画面生成部２３にＡＶアンプ２０の設定画面を生成させ、かつ、ＣＥＣラインを介してＢＤプレーヤ１０の制御部１３に、ＢＤプレーヤ１０の設定画面を生成して送信するように指示する（Ｓ１０２）。
【００３７】
ＢＤプレーヤ１０の制御部１３は、ＣＥＣラインを介してＡＶアンプ２０の制御部２４から、ＢＤプレーヤ１０の設定画面を生成して送信する指示を受信すると、設定画面生成部１８にＢＤプレーヤ１０の設定画面を生成させる（Ｓ２０１）。ＢＤプレーヤ１０のＨＤＭＩ送信部１２は、設定画面生成部１８から供給された設定画面をＨＤＭＩデータに変換し、ＡＶアンプ２０に送信する（Ｓ２０１）。
【００３８】
ＡＶアンプ２０のＨＤＭＩ受信部２１は、ＨＤＭＩデータを受信すると、受信したＨＤＭＩデータからＢＤプレーヤ１０の設定画面を生成し、設定画面生成部２３に供給する。設定画面生成部２３は、制御部２４の指示に応じて、ＡＶアンプ２０の設定画面とＢＤプレーヤ１０の設定画面とを合成し、図３（ａ）に示すような設定画面を生成する（Ｓ１０３）。この設定画面には、上記の通り、ＡＶアンプ設定項目を示す領域５１と、ＢＤプレーヤ設定項目を示す領域５２とを含む。つまり、ＡＶアンプ２０の設定項目に関する情報のうち、最上位階層の項目（例えば、１．入出力設定、２．スピーカー設定、３．音声モード調整、４．リスニングモード、５．解像度、・・・）がＡＶアンプ設定項目を示す領域５１に含められる。また、ＢＤプレーヤ１０の設定項目に関する情報うち、最上位階層の項目（１．映像、２．音声、３．言語、・・・）がＢＤプレーヤ設定項目を示す領域５２に含められる。
【００３９】
ＡＶアンプ２０の制御部２４は、ＨＤＭＩ送信部２２に、設定画面生成部２３によって生成された設定画面をＨＤＭＩデータに変換させ、ＨＤＭＩ出力端子３０を介して、ディスプレイ装置４０に送信させる。その結果、図３に示す設定画面がディスプレイ装置４０に表示される（１０４）。
【００４０】
図５に示すように、制御部２４は、図３の設定画面において、ユーザ操作によって、ＡＶアンプ設定モードボタンが操作されたか否かを判断する（Ｓ１１１）。つまり、ＡＶアンプ設定モードに移行する指示が入力されたか否かを判断する。ＡＶアンプ設定モードボタンが操作されない場合（Ｓ１１１でＮＯ）、Ｓ１１３に進む。ＡＶアンプ設定モードボタンが操作された場合（Ｓ１１１でＹＥＳ）、制御部２４は、ＡＶアンプ設定モードに移行する（Ｓ１１２）。つまり、設定画面のＡＶアンプ設定項目を示す領域５１にカーソルが表示されるようになり、ＡＶアンプ２０の設定項目を選択または決定可能な状態になる。
【００４１】
制御部２４は、図３の設定画面において、ＢＤプレーヤ設定モードボタンが操作されたか否かを判断する（Ｓ１１３）。つまり、ＢＤプレーヤ設定モードに移行する指示が入力されたか否かを判断する。ＢＤプレーヤ設定モードボタンが操作されない場合（Ｓ１１３でＮＯ）、Ｓ１１５に進む。ＢＤプレーヤ設定モードボタンが操作された場合（Ｓ１１３でＹＥＳ）、制御部２４は、ＢＤプレーヤ設定モードに移行する（Ｓ１１４）。つまり、設定画面のＢＤプレーヤ設定項目を示す領域５２にカーソルが表示されるようになり、ＢＤプレーヤ１０の設定項目の選択又は決定が可能な状態になる。上記の通り、図３（ａ）〜（ｃ）は、ＢＤプレーヤ設定モードが選択された場合を示している。
【００４２】
制御部２４は、ユーザ操作によって設定画面を操作する指示が入力されたか否かを判断する（Ｓ１１５）。設定画面を操作する指示は、例えば、ＡＶアンプ設定項目を示す領域５１またはＢＤプレーヤ設定項目を示す領域５２において、カーソルを上下に移動する指示、設定項目の階層を上下に移動する指示、または、設定項目を決定する指示などである。設定画面を操作する指示が入力されなければ（Ｓ１１５でＮＯ）、Ｓ１１１に戻る。
【００４３】
設定画面を操作する指示が入力された場合（Ｓ１１５でＹＥＳ）、制御部２４は、ＡＶアンプ設定モードに設定されているか否かを判断する（Ｓ１１６）。ＡＶアンプ設定モードに設定されている場合（Ｓ１１６でＹＥＳ）、制御部２４は、ＡＶアンプの設定処理を実行する（Ｓ１１７）。
【００４４】
詳細には、制御部２４は、ユーザ操作によって、ＡＶアンプ設定項目を示す領域５１において、カーソルを上下に移動する指示、又は、設定項目の階層を上下に移動する指示が入力されたか否かを判断する。カーソルを上下に移動する指示が入力された場合、制御部２４は、ＡＶアンプ設定項目を示す領域５１において、カーソルの表示位置を上下に移動させる。また、設定項目の階層を上下に移動する指示が入力された場合、つまり、所望の設定項目にカーソルが表示されている状態で決定キーが操作された場合や戻るキーが操作された場合、ＡＶアンプ設定項目を示す領域５１において、表示されている設定項目の階層を上下に移動させる。
【００４５】
また、制御部２４は、ユーザ操作によって、ＡＶアンプ設定項目を示す領域５１において、設定項目を決定する指示が入力されたか否かを判断する。つまり、最下位の階層の設定項目が表示され、所望の設定項目にカーソルが表示されている状態で、ユーザ操作によって決定ボタンが操作されたか否かが判断される。設定項目を決定する指示が入力された場合、制御部２４は、決定ボタンが操作された時点でカーソルが表示されていた設定項目にＡＶアンプ２０を設定する。
【００４６】
一方、ＢＤプレーヤ設定モードに設定されている場合（Ｓ１１６でＮＯ）、制御部２４は、ＣＥＣラインを介して、操作された内容に対応した設定コマンドをＢＤプレーヤ１０の制御部１３に送信する（Ｓ１１８）。ＢＤプレーヤ１０の制御部１３は、ＣＥＣラインを介してＡＶアンプ２０の制御部２４から、操作された内容に対応した設定コマンドを受信すると（Ｓ２０２でＹＥＳ）、受信した設定コマンドに応じたＢＤプレーヤ１０の設定処理を実行する（Ｓ２０３）。これに応じて、ＢＤプレーヤ１０の設定画面生成部１８によって生成されるＢＤプレーヤ１０の設定画面が受信した設定コマンドに応じて変更されるので、図３の設定画面におけるＢＤプレーヤ設定項目を示す領域５２の表示内容が随時更新される。
【００４７】
詳細には、制御部２４は、ユーザ操作によって、ＢＤプレーヤ設定項目を示す領域５２において、カーソルを上下に移動する指示、又は、設定項目の階層を上下に移動する指示が入力されたか否かを判断する。カーソルを上下に移動する指示が入力された場合、制御部２４は、カーソルを上下に移動させるコマンドをＢＤプレーヤ１０の制御部１３に送信し、ＢＤプレーヤ設定項目を示す領域５２において、カーソルの表示位置を上下に移動させる。また、設定項目の階層を上下に移動する指示が入力された場合、つまり、所望の設定項目にカーソルが表示されている状態で決定キーが操作された場合や戻るキーが操作された場合、決定コマンドや戻るコマンドをＢＤプレーヤ１０の制御部１３に送信し、ＢＤプレーヤ設定項目を示す領域５２において、表示されている設定項目の階層を上下に移動させる。
【００４８】
例えば、図３（ａ）において、ＢＤプレーヤ設定項目を示す領域５２において、「１．映像」にカーソルが表示されている状態で、決定ボタンが操作されると、図３（ｂ）に示すように、「１．映像」の１つ下の階層の設定項目の各々が表示される。さらに、図３（ｂ）において、ＢＤプレーヤ設定項目を示す領域５２において、「ＴＶ画面形状」にカーソルが表示されている状態で、決定ボタンが操作されると、図３（ｃ）に示すように、「ＴＶ画面形状」の１つ下の階層の設定項目の各々が表示される。なお、図３（ｃ）において、現在ＢＤプレーヤ１０に設定されている設定項目が「４：３レターボックス」であれば、「４：３レターボックス」に予めカーソルが表示されており、現在ＢＤプレーヤ１０に設定されている設定項目が「１６：９ワイド」であれば、「１６：９ワイド」に予めカーソルが表示されている。
【００４９】
また、制御部２４は、ユーザ操作によって、ＢＤプレーヤ設定項目を示す領域５２において、設定項目を決定する指示が入力されたか否かを判断する。つまり、最下位の階層の設定項目が表示され、所望の設定項目にカーソルが表示されている状態で、ユーザ操作によって決定ボタンが操作されたか否かが判断される。設定項目を決定する指示が入力された場合、制御部２４は、決定コマンドをＢＤプレーヤ１０の制御部１３に送信し、操作された時点でカーソルが表示されていた設定項目にＢＤプレーヤ１０を設定させる。
【００５０】
例えば、図３（ｃ）において、ＢＤプレーヤ設定項目を示す領域５２において、「４：３レターボックス」にカーソルが表示されている状態で、決定ボタンが操作されると、決定コマンドがＢＤプレーヤ１０の制御部１３に送信されるので、ＢＤプレーヤ１０の制御部１３は、ＢＤプレーヤ１０を「４：３レターボックス」に設定する。
【００５１】
続いて、制御部２４は、Ｓ１１７でＡＶアンプ２０の設定項目が操作された際に、操作されたＡＶアンプ２０の設定項目に関連のあるＢＤプレーヤ１０の設定項目の有無を、メモリ２５の記憶内容を参照して判断する（Ｓ１１９）。例えば、ＡＶアンプ設定項目を示す領域５１において、所望の設定項目にカーソルが表示されている状態で決定キーが操作された場合、カーソルが表示されている設定項目が選択され、１つ下の階層に移動させる。このとき、制御部２４は、ＢＤプレーヤ１０の設定項目の中で、現在表示されているＡＶアンプ２０の設定項目に関連のある設定項目が存在するか否かを判断する。
【００５２】
操作されたＡＶアンプ２０の設定項目に関連のあるＢＤプレーヤ１０の設定項目が無いと判断された場合（Ｓ１１９でＮＯ）、処理はＳ１１１に戻る。一方、操作されたＡＶアンプ２０の設定項目に関連のあるＢＤプレーヤ１０の設定項目が有ると判断された場合（Ｓ１１９でＹＥＳ）、制御部２４は、ＣＥＣラインを介して、操作されたＡＶアンプ２０の設定項目に関連のあるＢＤプレーヤ１０の設定項目をＢＤプレーヤ１０の設定画面に含めるコマンドを、ＢＤプレーヤ１０の制御部１３に送信する（Ｓ１２０）。
【００５３】
ＢＤプレーヤ１０の制御部１３は、当該コマンドを受信すると、操作されたＡＶアンプ２０の設定項目に関連のあるＢＤプレーヤ１０の設定項目をＢＤプレーヤ１０の設定画面に含めるように、設定画面生成部１８を制御する。
【００５４】
例えば、図６（ｂ）に示すように、ＡＶアンプ設定モードのときに、ＡＶアンプ設定項目を示す領域５１のカーソルを「解像度」に移動させると、ＡＶアンプ２０の設定項目「解像度」に関連のあるＢＤプレーヤ１０の設定項目の有無がメモリ２５の管理内容に基づいて判断される。関連のあるＢＤプレーヤ１０の設定項目として「解像度」が存在するので、ＢＤプレーヤ設定項目を示す領域５２において、「解像度」にカーソルが表示される（ここでは、破線で表示している）。つまり、ＡＶアンプ２０の制御部２４からＢＤプレーヤ１０の制御部１３に対して、「解像度」にカーソルを表示させるコマンドが送信される。このコマンドに応じて、ＢＤプレーヤ１０の制御部１３は、設定画面生成部１８に「解像度」にカーソルを表示させる。
【００５５】
そして、ＡＶアンプ設定項目を示す領域５１の「解像度」にカーソルが表示されている状態で決定キーが操作されると、図６（ｃ）に示すように、ＡＶアンプ設定項目を示す領域５１が１つ下の階層に移動し、「AUTO」、「480I」、「480P」、「720P」、「1080I」、「1080P」が表示される。このとき、ＢＤプレーヤ設定項目を示す領域５２において、「解像度」にカーソルが表示されている状態で自動的に（つまり、ユーザ操作なしに）決定キーが操作された状態となる。つまり、ＡＶアンプ２０の制御部２４からＢＤプレーヤ１０の制御部１３に対して、「解像度」の１つ下の階層の設定項目を表示するコマンドが送信される。このコマンドに応じて、ＢＤプレーヤ１０の制御部１３は、設定画面生成部１８に「解像度」の１つ下の階層の設定項目を設定画面に含めさせる。つまり、ＢＤプレーヤ設定項目を示す領域５２においても１つ下の階層に移動し、「AUTO」、「480I」、「480P」、「720P」、「1080I」、「1080P」が表示される。そして、ＢＤプレーヤ１０で現在設定されている解像度（ここでは1080Ｐ）が選択され、カーソルが表示された状態となる。従って、ユーザは、ＡＶアンプ２０の解像度を設定する際に、ＢＤプレーヤ１０に現在設定されている解像度の情報を確認しながら、設定することができる。
【００５６】
同様に、制御部２４は、Ｓ１１８でＢＤプレーヤ１０の設定項目が操作された際に、操作されたＢＤプレーヤ１０の設定項目に関連のあるＡＶアンプ２０の設定項目の有無を、メモリ２５の記憶内容を参照して判断する（Ｓ１２１）。例えば、ＢＤプレーヤ設定項目を示す領域５２において、所望の設定項目にカーソルが表示されている状態で決定キーが操作された場合、カーソルが表示されている設定項目が選択され、１つ下の階層に移動させる。このとき、制御部２４は、ＡＶアンプ２０の設定項目の中で、現在表示されているＢＤプレーヤ１０の設定項目に関連のある設定項目が存在するか否かを判断する。
【００５７】
操作されたＢＤプレーヤ１０の設定項目に関連のあるＡＶアンプ２０の設定項目が無いと判断された場合（Ｓ１２１でＮＯ）、処理はＳ１１１に戻る。一方、操作されたＢＤプレーヤ１０の設定項目に関連のあるＡＶアンプ２０の設定項目が有ると判断された場合（Ｓ１２１でＹＥＳ）、制御部２４は、操作されたＢＤプレーヤ１０の設定項目に関連のあるＡＶアンプ２０の設定項目を設定画面に含めるように、設定画面生成部２３を制御する（Ｓ１２２）。
【００５８】
例えば、図７（ｂ）に示すように、ＢＤプレーヤ設定モードのときに、ＢＤプレーヤ設定項目を示す領域５２のカーソルを「解像度」に移動させると、ＢＤプレーヤ１０の設定項目「解像度」に関連のあるＡＶアンプ２０の設定項目の有無がメモリ２５の管理内容に基づいて判断される。関連のあるＡＶアンプの設定項目として「解像度」が存在するので、ＡＶアンプ設定項目を示す領域５１において、「解像度」にカーソルが表示される。
【００５９】
そして、ＢＤプレーヤ設定項目を示す領域５２の「解像度」にカーソルが表示されている状態で決定キーが操作されると、図７（ｃ）に示すように、ＢＤプレーヤ設定項目を示す領域５２が１つ下の階層に移動し、「AUTO」、「480I」、「480P」、「720P」、「1080I」、「1080P」が表示される。このとき、ＡＶアンプ設定項目を示す領域５１において、「解像度」にカーソルが表示されている状態で自動的に（つまり、ユーザ操作なしに）決定キーが操作された状態となり、ＡＶアンプ設定項目を示す領域５１においても１つ下の階層に移動し、「AUTO」、「480I」、「480P」、「720P」、「1080I」、「1080P」が表示される。そして、ＡＶアンプで現在設定されている解像度（ここでは720P）が選択され、カーソルが表示された状態となる。従って、ＢＤプレーヤ１０の解像度を設定する際に、ＡＶアンプ２０に現在設定されている解像度の情報を確認しながら、設定することができる。
【００６０】
以上のように、本実施形態によると、ユーザ操作に応じてＡＶアンプ設定項目を示す領域５１が操作された場合、操作されたＡＶアンプ２０の設定項目に関連のあるＢＤプレーヤ１０の設定項目が、ＢＤプレーヤ設定項目を示す領域５２に自動的に表示される。従って、ユーザは、関連のあるＢＤプレーヤ１０の設定項目を見ながら、ＡＶアンプ２０の設定項目を選択することができる。同様に、ユーザ操作に応じてＢＤプレーヤ設定項目を示す領域５２が操作された場合、操作されたＢＤプレーヤ１０の設定項目に関連のあるＡＶアンプ２０の設定項目が、ＡＶアンプ設定項目を示す領域５１に自動的に表示される。従って、ユーザは、関連のあるＡＶアンプ２０の設定項目を見ながら、ＢＤプレーヤ１０の設定項目を選択することができる。
【００６１】
以上、本発明の好ましい実施形態を説明したが、本発明はこれらの実施形態には限定されない。例えば、ＨＤＭＩの代わりにＬＡＮ、ＵＳＢ、ＩＥＥＥ１３９４等の他の通信ラインが使用されてもよい。コンテンツ受信装置は、ＡＶアンプの代わりにディスプレイ装置が適用されてもよい。また、ＡＶアンプ２０をコンテンツ送信装置と定義し、ディスプレイ装置をコンテンツ受信装置と定義してもよい。また、ＡＶアンプ、ＢＤプレーヤの上記動作をコンピュータに実行させるためのプログラムおよびこれを記録した記録媒体という形態で提供されてもよい。また、ＡＶアンプ又はＢＤプレーヤの上記動作の一部のみのプログラムを、ＡＶアンプやＢＤプレーヤにファームウェアアップデートという形態で提供されてもよい。さらには、ＡＶアンプ又はＢＤプレーヤの上記動作の一部のみのプログラムが格納されたＨＤＭＩ送信部、ＨＤＭＩ受信部、システム制御部などの電子部品という形態で提供されてもよい。
【産業上の利用可能性】
【００６２】
本発明は、ＡＶアンプやＢＤプレーヤ等に好適に採用され得る。
【符号の説明】
【００６３】
１０          ＢＤプレーヤ
１１          再生部
１２          ＨＤＭＩ送信部
１３          制御部
１４          メモリ
１５          操作部
１６          表示部
１７          ＨＤＭＩ出力端子
１８          設定画面生成部
２０          ＡＶアンプ
２１          ＨＤＭＩ受信部
２２          ＨＤＭＩ送信部
２３          設定画面生成部
２４          制御部
２５          メモリ
２６          音声処理部
２７          操作部
２８          表示部
２９Ａ、２９Ｂ、２９Ｃ      ＨＤＭＩ入力端子
３０          ＨＤＭＩ出力端子
【図１】
2012195628.tif 000003
【図２】
2012195628.tif 000004
【図３】
2012195628.tif 000005
【図４】
2012195628.tif 000006
【図５】
2012195628.tif 000007
【図６】
2012195628.tif 000008
【図７】
2012195628.tif 000009